(57)【要約】 【課題】  役物などの遊技装置を傾動して遊技の内容に変化をつけることのできる遊技装置の傾角調整ユニット及び傾角調整機構を提供する。【解決手段】  傾角調整ユニットは、モータと、モータが取り付けられる基台と、モータにより上下動される昇降用部材とからなる。役物などの遊技装置を内側筐体６に配設し、前記傾角調整ユニット８２、８４を外側筐体７に取り付けたうえに、内側筐体６の一側を軸棒８１、８３を介して傾角調整ユニット８２、８４に結合して、傾角調整ユニット８２、８４により内側筐体６を介して遊技装置を傾動する。【選択図】    図６
2005319155.tif 000002
【特許請求の範囲】
【請求項１】
遊技装置の傾きを調整するための傾角調整ユニットであって、該傾角調整ユニットは、モータと、モータ取付け用の基台と、遊技装置の一側が結合され且つモータにより上下動される昇降用部材とからなることを特徴とする遊技装置の傾角調整ユニット。
【請求項２】
遊技装置を内側筐体に配設し、前記傾角調整ユニットを外側筐体に取り付けたうえに、内側筐体の一側を傾角調整ユニットに結合して、傾角調整ユニットが内側筐体を介して遊技装置を傾動するようにしたことを特徴とする遊技装置の傾角調整機構。
【請求項３】
外側筐体の直交する２側面に傾角調整ユニットを取り付けて、二つの傾角調整ユニットにより遊技装置を前後及び左右の２方向に傾動するようにした請求項２に記載の遊技装置の傾角調整機構。
【請求項４】
遊技装置を傾動自在に枢支する筐体と、前記遊技装置を傾動するモータとからなる遊技装置の傾角調整機構。
【請求項５】
傾角調整機構は、垂直下方に垂下される遮光部材と、遊技装置と一体に傾動するフォトセンサーとからなる角度検知ユニットを備えている請求項２〜４の何れかに記載の遊技装置の傾角調整機構。
【請求項６】
傾角調整機構は、角度検知ユニットにより遊技装置の傾きを検出して遊技装置を水平に調整するものである請求項５に記載の遊技装置の傾角調整機構。
【発明の詳細な説明】
【技術分野】
【０００１】
本発明は、遊技機に用いられる遊技装置を傾動するための遊技装置の傾角調整ユニット及び傾角調整機構に関するものである。
【背景技術】
【０００２】
パチスロ機などの遊技機は、メダルなどの遊技媒体を投入して複数の絵柄列を回転させて遊技を行うものである。このような遊技機として、例えば特許文献１には、窓から見える複数のリール、メダル投入口、スタートレバー、各リールに対応する複数のストップボタンが正面に配置され、上部にはトップランプ（報知手段）が３つ横に並んで設けられたパチスロ機が開示されている。このパチスロ機においてメダルを投入しスタートレバーを操作すると、リールに描かれた絵柄列が回転して遊技が始まり、遊技開始とともに制御部は内部的に抽選を行う。抽選の結果当選すると内部入賞状態となる。次に遊技者が各リールに対応するストップボタンを押すと、予め定められた所定の絵柄の組合せが窓上に表示されるように制御して絵柄列を停止する。全ての絵柄列を停止した後、窓上に現れる絵柄の組合せに応じて所定の数のメダルが払い出される。
【特許文献１】特開２００３−１１７０６５号公報（図２）
【０００３】
以上のように従来のパチスロ機は、単にリールが回転して停止するという繰り返しであったので、遊技が単調で興趣に欠けるという問題があった。リール以外に役物などの遊技装置を配設した場合にも表示画面など装置の構成部品が不動に固定されているために、変化性、意外性に欠けるものであった。
【発明の開示】
【発明が解決しようとする課題】
【０００４】
本発明は上記した従来の問題点を解決して、役物などの遊技装置を傾動して遊技の内容に変化をつけることのできる遊技装置の傾角調整ユニット及び傾角調整機構を提供するためになされたものである。
【課題を解決するための手段】
【０００５】
上記の課題を解決するためになされた本発明の遊技機の傾角調整ユニットは、遊技装置の傾きを調整するための傾角調整ユニットであって、該傾角調整ユニットは、モータと、モータが取り付けられる基台と、遊技装置の一側が結合され且つモータにより上下動される昇降用部材とからなることを特徴とするものである。
【０００６】
また、本発明の遊技装置の傾角調整機構は、遊技装置を内側筐体に配設し、前記傾角調整ユニットを外側筐体に取り付けたうえに、内側筐体の一側を傾角調整ユニットに結合して、傾角調整ユニットが内側筐体を介して遊技装置を傾動するようにしたことを特徴とするものであり、この傾角調整機構において、外側筐体の直交する２側面に傾角調整ユニットを取り付けて、二つの傾角調整ユニットにより遊技装置を前後及び左右の２方向に傾動するようにすることができる。また、本発明の遊技装置の傾角調整機構は、遊技装置を傾動自在に枢支する筐体と、前記遊技装置を傾動するモータとからなることを特徴とするものである。なお、上記傾角調整機構には、垂直下方に垂下される遮光部材と、遊技装置と一体に傾動するフォトセンサーとからなる角度検知ユニットを備えることができる。そして、傾角調整機構を、角度検知ユニットにより遊技装置の傾きを検出して遊技装置を水平に調整するものとすることができる。
【発明の効果】
【０００７】
本発明に係る遊技装置の傾角調整ユニットは、モータと、モータが取り付けられる基台と、モータにより上下動される昇降用部材とからなるものとしたので、遊技装置の一側を昇降部材と接続することにより遊技装置を上下方向に傾けることができる。
また、本発明の遊技装置の傾角調整機構は、遊技装置を内側筐体に配設し、前記傾角調整ユニットを外側筐体に取り付けたので、内側筐体の一側を傾角調整ユニットに接続することにより、傾角調整ユニットにより内側筐体を介して遊技装置を傾動することができる。
さらに、外側筐体の直交する２側面に傾角調整ユニットを取り付けることにより、二つの傾角調整ユニットにより遊技装置を前後及び左右の２方向に傾動することができる。
【０００８】
また、傾角調整機構を、遊技装置を傾動自在に枢支する筐体と、前記遊技装置を傾動するモータとからなるものとしても、遊技装置を傾動することができる。
なお、傾角調整機構に、垂直下方に垂下される遮光部材と、遊技装置と一体に傾動するフォトセンサーとからなる角度検知ユニットを設けることによって、遊技装置を容易に水平状態に復帰させることができる。
【発明を実施するための最良の形態】
【０００９】
以下に図面を参照しつつ本発明の好ましい実施形態を説明する。
図１は、本発明に係る傾角調整機構が内部に配設された遊技機用の役物を示す図である。この役物は、球発射ユニット１から遊技球を打出して、すり鉢状容器３内を周回させて、その周回数を予想するなどして遊技を行なうものである。球はすり鉢状容器３内を周回後は、下方の取付基体９を経て再び球発射ユニット１に回収されて循環使用される。４は計測表示ユニットであって、すり鉢状容器３内の球の周回数を計測し中継基板４１で中継して、周回数に応じた絵柄、数字などの画像を表示画面４３に表示する。６は傾動用の内側筐体、７は内側筐体６を収容するための外側筐体であって、これらの筐体６、７の間に内側筐体６を介してすり鉢状容器３を前後左右に傾動させるための、後述する傾角調整ユニット８が設けられている。内側筐体６にはすり鉢状容器３の前後または左右方向の角度を検知するための角度検知ユニット５が２台配設されている。なお、１１は取付け用ガイド、１４はすり鉢状容器３を覆い役物の前面を装飾するフードである。
【００１０】
図２３に球発射ユニット１の構造を示す。この球発射ユニット１は、発射モータ１５と、発射モータ１５が取り付けられるカバー１６と、支軸１９に挿着される弾球アーム１７と、発射モータ１５に軸着されるギア１８と、弾球アーム１７が軸着される球発射ボックス２０とが一体に組み合わされたものである。弾球アーム１７はギア１８を介して発射モータ１５により急速回動されて球を弾く。球発射ボックス２０には下部入口２１と上部出口２２とを有する横向きＵ字形の球誘導路２３が形成されているが、球誘導路２３の途中には流入した球が停止するように底面をやや凹ませて球発射位置２４が設けられている。したがって、下部入口２１から流入した球は球発射位置２４にて停止する。弾球アーム１７はこの位置にある球を弾き球誘導路２３にて上向きから横向きにＵターンさせて上部出口２２からすり鉢状容器３内に球を発射する。なお、球発射ユニット１には、さらに原点検知用のフォトセンサー２５と、球が発射位置２４にあるのを検出する磁気センサー２６とが配設されている。
【００１１】
球循環ユニット２は図４に示すような構成のものであって、発射された球を側面の球飛び込み口３１から受入れてすり鉢状容器３内を周回させたのちに底面の球流出口３２から排出する。すり鉢状容器３の下方には取付基体９が配設されており、すり鉢状容器３から流入した球を球回収樋９１に受け止めて球送出口９２から再び球発射ユニット１の下側入口２１に流下させる。以上のように球発射ユニット１にて弾球された球は、すり鉢状容器３内を周回した後に取付基体９を経て再び球発射ユニット１に流入するので、１個の球を繰り返し使用することができる。また、上方に打出された球は方向を横に変更されて以後低位置に設けられた球送出口９２に向けて流下するように構成してあるので、球回収用の駆動源を何ら必要としない。また、取付基体９にはすり鉢状容器３内の球の周回数を計測する球計数センサー４５が設けてあって計数値を計測表示ユニット４に送信する。なお、図中９４はフォトセンサー２５のＬＥＤ基板であり、９５は取付基体９固定用の部材である。
【００１２】
図５は、計測表示ユニット４の構成部品の一部を示す図であって、中継基板４１と、中継基板カバー４２と、７セグメントの表示画面４３と、表示画面カバー４４とからなる。すり鉢状容器３内の球の周回数は前記センサー４５により計測されて中継基板４１を介して表示画面４３に表示される。表示内容は数値に限らず周回数に応じた画像を表示することができる。
【００１３】
以上のような球発射ユニット１、球循環ユニット２、計測表示ユニット４などの遊技装置は内側筐体６に配設されるが、これら遊技装置は内側筐体６を傾動する傾角調整機構により傾き角が調整される。
以下に傾角調整機構を詳細に説明する。
内側筐体６と外側筐体７との間には、図６〜８に示すようにして傾角調整機構が配設されている。図６に示す傾角調整機構８は、内側筐体６の底面に水平状に設けられたＸ軸棒８１と、Ｘ軸棒８１の一端を上下動するＸ方向傾角調整ユニット８２と、前記Ｘ軸棒８１に直交するＹ軸棒８３と、該Ｙ軸棒８３の一端を上下動するＹ方向傾角調整ユニット８４と、内側筐体６を外側筐体７から分離して傾動可能とする接続部材８５とからなる。Ｘ軸棒８１は接続部材８５の上面挿通孔８５１に挿通されて一端がＸ方向傾角調整ユニット８２の下端孔部８２５に挿し込まれている。また、Ｙ軸棒８３は、Ｘ軸棒８１と直交して接続部材８５の上面に配設さており一端はＹ方向傾角調整ユニット８４の下端孔部８４５に挿し込まれている。なお、接続部材８５はその裏面に、接続部材８５を外側筐体７に取り付けるための支持棒の挿通孔８７が設けられている。
【００１４】
図７に示す内側筐体６の底面には、前記上面挿通孔８５１の押え部６１を備えたＸ軸棒８１の取付窓６２と、Ｘ方向傾角調整ユニット８２の覗き窓６３とが設けられ、内側筐体６の後側側面にはＹ方向傾角調整ユニット８４の覗き窓６４が設けられている。上記した傾角調整ユニット８を内側筐体６の底面裏側から所定の位置に当接して、Ｘ軸棒８１、Ｙ軸棒８３、Ｘ方向傾角調整ユニット８２、Ｙ方向傾角調整ユニット８４を所定の位置に配置したうえに、押え金具８６でもって固定する。
【００１５】
また、外側筐体７には、図８に示すように、支持棒７１の取付け溝７２が形成され、この支持棒７１は前記接続部材８５の挿通孔８７に挿通されたうえに、押え金具８６でもって固定されて、内側筐体６を外側筐体７に対して独立して傾動可能に支持する。なお、７３はＸ方向傾角調整ユニット８２の取付部、７４はＹ方向傾角調整ユニットの取付部である。
【００１６】
Ｘ方向傾角調整ユニット８２（またはＹ方向傾角調整ユニット８４）は図９に示すような構造のものであって、外側筐体７に挿し込まれる４つの係止爪８２２を有する取付用基台８２１と、上下動する回転軸８２３を有するモータ８２４と、Ｘ軸棒８１（またはＹ軸棒８２）の一端が挿し込まれる下端孔部８２５（または８４５）を備えた昇降用部材８２６とからなる。すなわちモータ８２４を駆動して回転軸８２３を上下動させることによって、昇降用部材８２６が昇降されて、Ｘ軸棒８１（またはＹ軸棒８２）の一端を上下動させることができる。
【００１７】
上記した傾角調整機構８において、接続部材８５は内側筐体６の底面裏側に固定されているので、Ｘ方向傾角調整ユニット８２がＸ軸棒８１の一端を昇降させることにより内側筐体６をＸ軸棒８１に沿って左右方向に傾動することができる。また、Ｙ軸棒８３は固定された接続部材８５の上面と内側筐体６の底面裏側との間に介装されているので、Ｙ方向傾角調整ユニット８４がＹ軸棒８３の一端を昇降させることにより内側筐体６をＹ軸棒８３に沿って前後方向に傾動することができる。したがって、内側筐体６内に設けた遊技装置を前後左右に傾けることができる。
【００１８】
なお、図１３に示すように、接続用部材８５が底面に固定された内側筐体６をピボット軸受け８８を介して外側筐体７に配設することによっても、Ｘ方向傾角調整ユニット８２（またはＹ方向傾角調整ユニット８４）により内側筐体６の傾き角度を可変とすることができる。
【００１９】
本発明の傾角調整機構は、すり鉢状容器３の傾きを調整することによって球の周回数を調整することができるのみならず、遊技機自体の設置状況にかかわらず球循環ユニット２を水平に保つことができ、球の周回数を一定に保持することもできる。また、本発明に係る傾角調整ユニット（８２又は８４）は、パチンコ機の役物やパチスロ機の一般の役物、例えば第２種センター役物の球の振分け用などに、単独又は複数で広く適用することができる。
【００２０】
また、本発明の役物は、図１０、１１に示すようにすり鉢状容器３の角度検知ユニット５を２台備えており、すり鉢状容器３の前後及び左右方向の水平状態を検知することができる。角度検知ユニット５は、角度検出ユニット本体５１と、この角度検出ユニット５１に上端が軸支され下端に遮光板５２を備え常に垂直下方に垂設される遮光部材５３と、４本の取付爪５４を有する蓋体５５と、フォトセンサー５６とからなる。フォトセンサー５６が遮光板５２によって遮られる光の通過、非通過を検知することによってすり鉢状容器３の水平状態を検出することができる。
【００２１】
以上のような各ユニットを所定の位置に配置したうえに、図１２に示す透明パネル１４１、前飾り１４２、ユニット飾り１４３とを組み合わせたフード１４を装着することによって、図１に示したような一体の役物を構成することができる。
【００２２】
図１４〜１５は第２の実施形態の役物を示す図である。この役物は外側カバー２０１に役物本体２０２が着脱自在に取り付けられたものである。外側カバー２０１はパチスロ機などの遊技機本体の内側に固定されるものであって、その底部に役物本体２０２の固定部材２０１ａを有する。一方、役物本体２０２は遊技機本体の前面を覆う前扉に配設されて、前扉と一体に回動されるものであって、その裏面に前記固定部材２０１ａに係止される係合部材（図示していない）を有している。すなわち、前扉を閉めたときに外側カバー２０１と役物本体２０２とは合体し一体に組付けられる。前記役物本体２０２は、前側枠体２０３に球発射ユニット１Ａ、すり鉢状容器３Ａを有する球循環ユニット２Ａ、計測表示ユニット４Ａが配設され、さらに傾角調整機構８Ａが内蔵されたものである。
【００２３】
球発射ユニット１Ａの構成を図１６に示すが、この球発射ユニット１Ａは、発射モータ１５Ａと、発射モータ１５Ａが取り付けられる球発射ボックス２０Ａと、支軸１９Ａに挿着される弾発射アーム１７Ａと、発射モータ１５Ａに軸着されるギア１８Ａと、弾発射アーム１７Ａが軸着されるカバー１６Ａとが一体に組み合わされたものであり、既記した球発射ユニット１と大きく変わるところはない。すなわち、球発射ユニット１Ａは、下部入口２１Ａから取り込んだ球を上部出口２２Ａから発射してすり鉢状容器３Ａ内に打込むことができる。なお、球発射ユニット１Ａには、原点検知用のフォトセンサー２５Ａと、球確認用の磁気センサー２６Ａとが配設されている。
【００２４】
球循環ユニット２Ａは図１７、１８に示すような構成のものであって、すり鉢状容器３Ａと、すり鉢状容器３Ａを支承する取付基体９Ａと、球回収樋９１Ａとからなる。すり鉢状容器３Ａ内を周回した球は中央の球流出口２３Ａから排出される。球回収樋９１Ａはすり鉢状容器３Ａから排出された球を受入れて、球発射ユニット１Ａの下側入口２１Ａに流下させる。すり鉢状容器３Ａの裏側にはすり鉢状容器３Ａ内の球の周回数を計測する球計数センサー４５Ａが設けてある。ここで計測表示ユニット４Ａは、球計数センサー４５Ａと、中継基板９４Ａと、図１６に示した７セグメントの表示画面４３Ａと、カバー１６Ａ，１６Ｂとからなるものであって、球計数センサー４５Ａが計数した球の周回数は中継基板９４Ａを介して表示画面４３Ａに表示される。
【００２５】
以上のような球発射ユニット１Ａ、球循環ユニット２Ａ、計測表示ユニット４Ａは、筐体６Ａに組み付けられるが、すり鉢状容器３Ａは傾角調整機構８Ａにより傾き角が調整される。すなわち、すり鉢状容器３Ａの外側面には支軸３Ｂが一対設けられており、この支軸３Ｂが筐体６Ａの軸穴６Ｂに挿し込まれてすり鉢状容器３Ａは傾動自在に軸支されている。そして、モータ取付台２０４に固定された水平モータ２０５の回転軸がすり鉢状容器３Ａの側面を押したり、或いは引いたりするので、すり鉢状容器３Ａは前後方向に傾動することができる。なお、図１７中の２０６は組み立て補助用のバネである。また、役物の前面は、図１９に示す透明パネル２０７、ハーフミラーシート２０８が装着された前枠２０３により覆われている。
【００２６】
また、本発明の役物も図１８に示すように、すり鉢状容器３Ａの角度検知ユニット５Ａを備えており、すり鉢状容器３Ａの水平状態を検知することができる。角度検知ユニット５Ａは、遮光部材５１Ａとフォトセンサー５６Ａとからなり、既記したようにフォトセンサー５６Ａが光の通過、非通過を検知することによってすり鉢状容器３Ａの水平状態を検出する。
【００２７】
本発明の役物は図２０に示すように、上部に前枠２０３離脱用の開閉スイッチ２０９が設けられている。また、位置決め板２１０に、基板２１１に固定されたランプ２１２、レンズ２１３が取り付けられ、これらはスナップラッチ２１４によりカバー体６Ａの上部に取り付けられているので、役物の装飾効果を高めることができる。
【００２８】
図２１は、傾角調整機構を有する役物が前扉に配設された遊技機を示す図であって、この遊技機は、複数のリール１０１、メダル投入口１０２、スタートレバー１０３、及び各リール１０１に対応する複数のストップボタン１０４が配置され、上部にはトップランプ１０５とともに役物１０６が配置されている。遊技者はメダルを投入しスタートレバー１０３を操作すると、リール１０１が回転する。リール１０１の回転開始とともに制御部は内部的に抽選を行い、抽選の結果当選すると内部入賞状態となる。次に遊技者がストップボタン１０４を順次押すと、予め定められた所定の絵柄の組合せが窓上に表示されるように制御してリール１０１が停止する。そして、窓上に現れる絵柄の組合せに応じて所定の数のメダルが払い出される。
【００２９】
上記遊技機において、役物１０６は適宜の時に球を発射してすり鉢上容器３、３Ａ内の球の周回数や、変動絵柄を表示画面４３に表示する。ここで、傾角調整機構により遊戯装置を傾けて球の周回数に偶然性を付与したり、また、上記リールと組合わせたりすることによってゲームの興趣を大幅にを盛り上げることができる。
【００３０】
また、役物１０６は、遊技機の遊技が内部入賞状態となった時に球を発射して、遊技者に遊技が内部入賞状態になったことを知らせるものとすることができる。
さらに役物１０６は、すり鉢状容器３内の球の周回数を遊技機本体に送信して、遊技者の予想した球周回数と絵柄列の表示内容との組合わせによりビッグボーナスなどの当り判定を行うようにすることもできる。
【図面の簡単な説明】
【００３１】
【図１】本発明に係る役物の斜視図である。
【図２】球発射ユニットの斜視図である。
【図３】球発射ユニットの分解斜視図である。
【図４】球循環ユニットの分解斜視図である。
【図５】計測表示ユニットの分解斜視図である。
【図６】傾角調整ユニットの分解斜視図である。
【図７】内側筐体の斜視図である。
【図８】外側筐体及び支持棒の斜視図である。
【図９】Ｘ方向傾角調整ユニットの分解斜視図である。
【図１０】角度検出ユニットの斜視図である。
【図１１】角度検出ユニットの分解斜視図である。
【図１２】フードの分解斜視図である。
【図１３】ピボット軸受けを用いた傾角調整機構を説明する概略構成図である。
【図１４】第２の実施形態の役物の本体を示す斜視図である。
【図１５】第２の実施形態の役物の筐体を示す斜視図である。
【図１６】第２の実施形態の役物における球発射ユニット他を示す分解斜視図である。
【図１７】第２の実施形態の役物におけるすり鉢状容器周辺を示す分解斜視図である。
【図１８】第２の実施形態の役物におけるすり鉢状容器下部構造を示す分解斜視図である。
【図１９】第２の実施形態の役物における前側枠体周辺を示す分解斜視図である。
【図２０】第２の実施形態の役物の上部構造を示す分解斜視図である。
【図２１】遊技機の正面図である。
【符号の説明】
【００３２】
１  球発射ユニット
２  球循環ユニット
３  すり鉢状容器
４  計測表示ユニット
５  角度検出ユニット
６  内側筐体
７  外側筐体
９  取付基体
４３  表示画面
８２、８４  傾角調整ユニット
９１  球回収樋
【図１】
2005319155.tif 000003
【図２】
2005319155.tif 000004
【図３】
2005319155.tif 000005
【図４】
2005319155.tif 000006
【図５】
2005319155.tif 000007
【図６】
2005319155.tif 000008
【図７】
2005319155.tif 000009
【図８】
2005319155.tif 000010
【図９】
2005319155.tif 000011
【図１０】
2005319155.tif 000012
【図１１】
2005319155.tif 000013
【図１２】
2005319155.tif 000014
【図１３】
2005319155.tif 000015
【図１４】
2005319155.tif 000016
【図１５】
2005319155.tif 000017
【図１６】
2005319155.tif 000018
【図１７】
2005319155.tif 000019
【図１８】
2005319155.tif 000020
【図１９】
2005319155.tif 000021
【図２０】
2005319155.tif 000022
【図２１】
2005319155.tif 000023